(57)【要約】【課題】例えば地震の発生時にコンペンロープに所望の張力がかからなくなるのを防止するエレベータのコンペンロープ振れ止め装置を提供する。【解決手段】コンペンロープ３は一端がかごに連結されると共に他端が釣り合いおもりに連結され昇降路内に吊り下げられている。コンペンロープ３の中間部はコンペンシーブ１の外周部に巻き掛けられている。コンペンシーブ１はコンペンフレーム２に回転自在に軸支されている。コンペンフレーム２上にはウエイト７，７，・・・が設けられている。【選択図】      図１
2004224535.tif 000002
【特許請求の範囲】
【請求項１】
一端がかごに連結されると共に他端が釣り合いおもりに連結され昇降路内に吊り下げられたコンペンロープと、前記かご及び前記釣り合いおもりの下方に配置され外周部に前記コンペンロープの中間部が巻き掛けられると共に前記コンペンロープに張力を付与するコンペンシーブとを備えたコンペン装置に設けられ、前記コンペンシーブが前記コンペンロープに付与する張力を所望の張力に調整することを特徴とするエレベータのコンペンロープ振れ止め装置。
【請求項２】
前記コンペンシーブ又は前記コンペンシーブを支持する手段に取り付けられたウエイトであることを特徴とする請求項１記載のエレベータのコンペンロープ振れ止め装置。
【請求項３】
昇降路ピットに設置され前記コンペンシーブ又は前記コンペンシーブを支持する手段を下方に付勢するものであることを特徴とする請求項１記載のエレベータのコンペンロープ振れ止め装置。
【請求項４】
前記コンペンシーブ又は前記コンペンシーブを支持する手段を下方に弾性付勢するものであることを特徴とする請求項３記載のエレベータのコンペンロープ振れ止め装置。
【発明の詳細な説明】
【０００１】
【発明の属する技術分野】
本発明はエレベータのコンペンロープ振れ止め装置に関するものである。
【０００２】
【従来の技術】
図７は従来の一般的なエレベータの概略構造を示す平面図、図８は図７のエレベータの正面図、図９は図７のエレベータに設けられたコンペン装置の概略構成図である。
【０００３】
図７に示すように、昇降路内には一対のかご用ガイドレール１０１，１０１が平行かつ垂直に立設されており、これらの間に配置されたかご１０２が昇降自在に案内されている。図８において、１０３はかご１０２を支持するかご枠の縦枠、１０４はその上部に設けられた案内装置で、かご１０２を上下方向に案内する。
【０００４】
また、昇降路内には一対の釣り合いおもり用ガイドレール１０５，１０５がかご用ガイドレール１０１，１０１と平行かつ垂直に立設されており、これらの間に配置された釣り合いおもり１０６が昇降自在に案内されている。１０７は釣り合いおもり１０６の上下に設けられた案内装置で釣り合いおもり１０６を上下方向に案内する。
【０００５】
昇降路の上部に設けられた機械室の床には巻上機が設置され、これに付設された綱車１０８にはメインロープ１０９の中間部が巻き掛けられており、メインロープ１０９の一端はかご１０２に連結され、他端は釣り合いおもり１０６に連結されている。
【０００６】
図９において、１１０はテールコードで、機械室に設置された制御盤１１１より昇降路に這わせてかご１０２の下方のテールコード受け１１２に導かれ、かご１０２上のダクト１１３に接続されている。
【０００７】
昇降行程が長い場合には、かご１０２が最上階にある場合と最下階にある場合とでは、ロープ１０９の自重によるかご１０２と釣り合いおもり１０６のアンバランスが発生し、綱車１０８に付設された巻上機のトルク制御に悪影響を及ぼす。
【０００８】
また、かご１０２が昇降すると、かご１０２の下部に作用するテールコード１１０の自重が変化するため、かご１０２の重心が変化し、ガイド装置１０４，１０４に作用する荷重に偏りが生じ、これがガイド装置１０４の強度を超えると乗り心地に悪影響を及ぼすようになる。この問題を解決するために、例えばコンペン装置が用いられる。
【０００９】
コンペン装置は、かご１０２の下部に設けられたかご側コンペンロープヒッチ部１１４と、釣り合いおもり１０６の下部に設けられた釣り合いおもり側コンペンロープヒッチ部１１５と、一端がかご側コンペンロープヒッチ部１１４を介してかご１０２に連結されると共に他端が釣り合いおもり側コンペンロープヒッチ部１１５を介して釣り合いおもり１０６に連結され昇降路内に吊り下げられたコンペンロープ１１６と、かご１０２及び釣り合いおもり１０６の下方に配置され外周部にコンペンロープ１１６の中間部が巻き掛けられると共にコンペンロープ１１６に張力を付与するコンペンシーブ１１７と、このコンペンシーブ１１７を回転自在に軸支するコンペンフレーム（図示せず）とを備えている。
【００１０】
【発明が解決しようとする課題】
従来のコンペン装置は、例えば地震が発生してコンペンフレームが持ち上げられると、コンペンロープ１１６が緩み、例えばレールブラケット等の昇降路部品に衝突して昇降路部品を破損させたり、コンペンロープ１１６がレールブラケット等に引っ掛かって破損する可能性があるという問題点が有った。
【００１１】
本発明は上記問題点に鑑みてなされたものであり、その目的は、例えば地震の発生時にコンペンロープに所望の張力がかからなくするのを防止するコンペンロープ振れ止め装置を提供することにある。
【００１２】
【課題を解決するための手段】
上記目的を達成するために、本発明は、一端がかごに連結されると共に他端が釣り合いおもりに連結され昇降路内に吊り下げられたコンペンロープと、前記かご及び前記釣り合いおもりの下方に配置され外周部に前記コンペンロープの中間部が巻き掛けられると共に前記コンペンロープに張力を付与するコンペンシーブとを備えたコンペン装置に設けられ、前記コンペンシーブが前記コンペンロープに付与する張力を所望の張力に調整するエレベータのコンペンロープ振れ止め装置である。
【００１３】
【発明の実施の形態】
以下、本発明の一実施形態を図面と共に詳述する。図１は本発明の第１の実施形態を示しており、（ａ）は正面図、（ｂ）は側面図である。
【００１４】
このコンペン装置は、コンペンシーブ１と、このコンペンシーブ１を支持する手段としてのコンペンフレーム２と、コンペンシーブ１に巻き掛けられたコンペンロープ３とを備えている。
【００１５】
コンペンフレーム２は、対向配置された一対の側面フレーム４，４と、これらの上端面間に架設された上面フレーム５とから成っている。
【００１６】
コンペンシーブ１は、外周部に溝が形成されており、その中心部を貫通するように固定された回転軸６を介して側面フレーム４，４に回転自在に軸支されている。
【００１７】
コンペンロープ３は、一端が図示しないかごに連結されると共に他端が図示しない釣り合いおもりに連結されて昇降路内に吊り下げられており、中間部がコンペンシーブ１の外周部に巻き掛けられている。
【００１８】
そして、本実施形態では、上面フレーム５上に、コンペンロープ振れ止め装置としての複数個の板状のウエイト７，７，・・・が積層状態で取り付けられている。すなわち、上面フレーム５には、その厚さ方向に貫通する四個のネジ孔が前後左右に間隔をおいて形成され、各ネジ孔にはそれぞれ外周部にネジが形成された全ネジ棒８の下端部が螺着されており、各全ネジ棒８は上面フレーム５の上面から垂直に突出した状態となっている。各ウエイト７には、各全ネジ棒８を摺動自在に貫通させる貫通孔が形成されており、各貫通孔に全ネジ棒８を貫通させるにより各ウエイト７が上下に整列した状態で積層される。そして、各全ネジ棒８の上端部にダブルナット９を螺合することによりウエイト７，７，・・・が上面フレーム５上に固定される。
【００１９】
このような構成によれば、ウエイト７，７，・・・の重量によってコンペンロープ３の張力が増加するため、例えば地震の発生によってコンペンフレーム２が持ち上がることがなく、コンペンロープ３が予期する以上に振れるのを防止することができる。
【００２０】
次に、本発明の第２の実施形態を説明する。図２は本発明の第２の実施形態を示しており、（ａ）は正面図、（ｂ）は側面図である。なお、以下の各実施形態において、その前に説明した実施形態と同一又は類似の部分には同一の符号を用いており、同一の部分については説明を省略してある。
【００２１】
本実施形態では、コンペンフレーム２が、側面フレーム４，４の下端部間に架設された下面フレーム１０を有しており、その下面に一対の断面コの字形のウエイト支持用ビーム１１，１１が前後に間隔をおいて取り付けられている。各ウエイト７の両側縁部にはウエイト支持用ビーム１１の下端部が摺動自在に係合する切欠部１２が形成されていて、ウエイト８を図２（ａ）の左右方向にスライドさせることによりウエイト支持用ビーム１１，１１に着脱できるようになっている。
【００２２】
このような構成によれば、コンペンフレーム２の上部にコンペンセフティ（コンペンフレームの加速度が所定値以上になった場合にコンペンフレームをそのガイドレールに対して挟み込んでコンペンフレームの飛び上がりを防ぐもの）等が設置されることによりコンペンフレーム２の上部にスペースが無くてもコンペンフレーム２にウエイト７を設置することができるため、例えば地震の発生時にコンペンロープ３が予期する以上に振れるのを防ぐことができる。
【００２３】
次に、本発明の第３の実施形態を説明する。図３は本発明の第３の実施形態を示しており、（ａ）は正面図、（ｂ）は側面図である。
【００２４】
本実施形態では、ピットの床面１３に外周部にネジが形成された一対の全ネジ棒１４，１４（棒体）が立設されている。また、フレーム２の上方には、フレーム２を下方に付勢する左右一対のアーム１５が配置されている。これらのアーム１５には、全ネジ棒１４の上端部を摺動自在に貫通させる貫通孔が設けられており、各アーム１５は全ネジ棒１４の軸方向に移動自在となっている。各アーム１５の下方においてナット１６、上方においてダブルナット１７が全ネジ棒１４に螺合されており、これらによってアーム１５が全ネジ棒１４上に位置決めされている。全ネジ棒１４、アーム１５、ナット１６、ダブルナット１７により本発明のコンペンロープ振れ止め装置が構成されている。
【００２５】
本実施形態のものでは、例えば地震の発生時にコンペンロープ３が予期する以上に振れるのを防ぐことができるだけでなく、ナット１６及びダブルナット１７を回転させることによりアーム１５がフレーム２を下方に付勢する力、すなわちコンペンシーブ１がコンペンロープ３に与える張力を調節することができる。
【００２６】
次に、本発明の第４の実施形態を説明する。図４は本発明の第４の実施形態を示しており、（ａ）は正面図、（ｂ）は側面図である。
【００２７】
本実施形態では、ピットの床面１３に外周部にネジが形成された一対の全ネジ棒１８，１８が立設されている。また、フレーム２の下方にはプレート１９が水平に配置されており、その両端部には全ネジ棒１８の上端部を摺動自在に貫通させる貫通孔が設けられていて、プレート１９は全ネジ棒１８の軸方向に移動自在となっている。プレート１９の下方においてナット２０、上方においてダブルナット２１が全ネジ棒１８に螺合されており、これらによってプレート１９が全ネジ棒１８上に位置決めされている。
【００２８】
また、複数個のシャックルロッド２２，２２，・・・がプレート１９を貫通した状態で取り付けられ、下面フレーム１０の下面にはロープヒッチ２３が取り付けられている。このロープヒッチ２３と各シャックルロッド２２との間にはロープ２４が張装されており、フレーム２を下方に付勢している。全ネジ棒１８、プレート１９、ナット２０、ダブルナット２１、シャックルロッド２２、ロープヒッチ２３、ロープ２４により本発明のコンペンロープ振れ止め装置が構成されている。
【００２９】
本実施形態のものでは、例えば地震の発生時にコンペンロープ３が予期する以上に振れるのを防ぐことができるだけでなく、ナット２０及びダブルナット２１を回転させることにより各ロープ２４がフレーム２を下方に付勢する力、すなわちコンペンシーブ１がコンペンロープ３に与える張力を調節することができる。
【００３０】
また、本実施形態では、コンペンロープ振れ止め装置を構成する各部材が全てコンペンシーブ１の下方に配置されており、コンペン装置の平面的なスペースを小さくすることができるという利点が有る。
【００３１】
次に、本発明の第５の実施形態を説明する。図５は本発明の第５の実施形態の正面図である。
【００３２】
本実施形態では、第４の実施形態の構成に加えて、プレート１９と各シャックルロッド２２の間にシャックル２２を下方向に弾性付勢するスプリング２５が設けられている。
【００３３】
このような構成によれば、第４の実施形態の効果に加えて、コンペンシーブ１を上昇させようとする力が生じたときに、この力が各スプリング２５により吸収されてコンペンロープ３に加わる衝撃が緩和されるため、コンペンロープ３の安全率が向上する。
【００３４】
次に、本発明の第６の実施形態を説明する。図６は本発明の第６の実施形態の側面図である。
【００３５】
本実施形態では、コンペンフレーム２を備えておらず、コンペンシーブ１を支持する回転軸６が、昇降路のピット１３に立設された一対のコンペンシーブガイドレール２６，２６により上下方向に移動自在に支持されている。そして、コンペンシーブ１の前後において、回転軸６を下方に引っ張るコンペンロープ振れ止め装置が設けられている。このコンペンロープ振れ止め装置は、第４の実施形態と同様のもので、全ネジ棒１８、プレート１９、ナット２０、ダブルナット２１、シャックルロッド２２、ロープ２４等により構成されている。
【００３６】
このような構成によれば、例えば地震の発生によって回転軸６が持ち上がることがないため、コンペンロープ３が予期する以上に振れるのを防止することができる。
【００３７】
なお、上記各実施形態では、コンペンロープ振れ止め装置が、コンペンシーブ１を支持する手段（コンペンフレーム２や回転軸６等）に対して重力や下方への付勢力を与えるようにした場合について説明したが、コンペンシーブ１に対して直接重力や付勢力を与えるものであってもよい。
【００３８】
【発明の効果】
以上のように、本発明によれば、コンペンシーブがコンペンロープに付与する張力を所望の張力に調整することができるので、例えば地震の発生時にコンペンロープが予期する以上に振れるのを防止することができる。
【図面の簡単な説明】
【図１】本発明の第１の実施形態の正面図及び側面図
【図２】本発明の第２の実施形態の正面図及び側面図
【図３】本発明の第３の実施形態の正面図及び側面図
【図４】本発明の第４の実施形態の正面図及び側面図
【図５】本発明の第５の実施形態の正面図
【図６】本発明の第６の実施形態の側面図
【図７】従来の一般的なエレベータの概略構造を示す平面図
【図８】図７のエレベータの正面図
【図９】図７のエレベータに設けられたコンペン装置の概略構成図
【符号の説明】
１  コンペンシーブ
３  コンペンロープ
７  ウエイト
【図１】
2004224535.tif 000003
【図２】
2004224535.tif 000004
【図３】
2004224535.tif 000005
【図４】
2004224535.tif 000006
【図５】
2004224535.tif 000007
【図６】
2004224535.tif 000008
【図７】
2004224535.tif 000009
【図８】
2004224535.tif 000010
【図９】
2004224535.tif 000011